【手続補正書】
【提出日】令和3年8月25日(2021.8.25)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信の方法であって、
サービングセルからレートマッチングリソース（ＲＭＲ）構成を受信することと、
前記ＲＭＲ構成に関連する送信ヌメロロジーに少なくとも部分的に基づいて、周辺でレートマッチングされるべき１つまたは複数の第１のリソース要素（ＲＥ）を識別すること、ここにおいて、前記１つまたは複数の第１のＲＥは、前記サービングセルまたはネイバリングセルにおける基準信号（ＲＳ）送信のために使用される、と、
物理ダウンリンク共有チャネル（ＰＤＳＣＨ）を、前記第１のＲＥを含まない１つまたは複数の第２のＲＥにマッピングすることと
を備える、方法。
【請求項２】
前記サービングセルから受信された前記ＲＭＲ構成に関連する前記送信ヌメロロジーは、前記ネイバリングセルの送信ヌメロロジーと同一である、または
前記サービングセルから受信された前記ＲＭＲ構成に関連する前記送信ヌメロロジーは、前記ネイバリングセルの送信ヌメロロジーとは異なる、
請求項１に記載の方法。
【請求項３】
前記サービングセルから受信された前記ＲＭＲ構成に関連する前記送信ヌメロロジーは、異なり、
前記サービングセルから受信された前記ＲＭＲ構成に関連する前記送信ヌメロロジーに対応するサブキャリア間隔は、前記ネイバリングセルの前記送信ヌメロロジーに対応するサブキャリア間隔よりも大きい、または
前記サービングセルから受信された前記ＲＭＲ構成に関連する前記送信ヌメロロジーに対応するサブキャリア間隔は、前記ネイバリングセルの前記送信ヌメロロジーに対応するサブキャリア間隔よりも小さい、
請求項２に記載の方法。
【請求項４】
前記ＲＭＲは、ゼロ電力チャネル状態情報基準信号（ＺＰ  ＣＳＩ−ＲＳ）を含む、
請求項１に記載の方法。
【請求項５】
ユーザ機器（ＵＥ）によるワイヤレス通信の方法であって、
サービングセルからレートマッチングリソース（ＲＭＲ）構成を受信することと、
前記ＲＭＲ構成における物理アップリンク制御チャネル（ＰＵＣＣＨ）とサウンディング基準信号（ＳＲＳ）とに関係するシグナリング構成に少なくとも部分的に基づいて、物理アップリンク共有チャネル（ＰＵＳＣＨ）のために周辺でレートマッチングされるべき１つまたは複数の第１のリソース要素（ＲＥ）を識別することと、
物理アップリンク共有チャネル（ＰＵＳＣＨ）を、前記第１のＲＥを含まない１つまたは複数の第２のＲＥにマッピングすることと
を備える、方法。
【請求項６】
前記１つまたは複数の第１のＲＥは、前記サービングセルまたはネイバリングセルにおけるアップリンクロングＰＵＣＣＨ送信のために指定される、および／または
前記１つまたは複数の第１のＲＥは、前記サービングセルまたはネイバリングセルにおけるアップリンクロングＰＵＣＣＨ送信のために使用される、
請求項５に記載の方法。
【請求項７】
前記１つまたは複数の第１のＲＥは、前記サービングセルまたはネイバリングセルにおけるアップリンクショート持続時間に対応する、および／または
前記１つまたは複数の第１のＲＥは、前記サービングセルまたはネイバリングセルにおけるアップリンクショート持続時間中のアップリンクショートＰＵＣＣＨおよびＳＲＳ送信のために予約される、および／または
前記１つまたは複数の第１のＲＥは、前記サービングセルまたはネイバリングセルにおけるアップリンクショート持続時間中のアップリンクショートＰＵＣＣＨおよびＳＲＳを含む信号またはチャネルの送信のために使用される、
請求項５に記載の方法。
【請求項８】
前記識別することは、前記ＲＭＲ構成におけるアップリンク多入力多出力（ＭＩＭＯ）プリコーダにさらに基づく、および／または
前記ＲＭＲは、ゼロ電力チャネル状態情報基準信号（ＺＰ  ＣＳＩ−ＲＳ）を含む、
請求項７に記載の方法。
【請求項９】
装置であって、
実行可能な命令を備える非一時的メモリと、
前記メモリとデータ通信しているプロセッサと
を備え、前記プロセッサは、前記装置に、
サービングセルからレートマッチングリソース（ＲＭＲ）構成を受信することと、
前記ＲＭＲ構成に関連する送信ヌメロロジーに少なくとも部分的に基づいて、周辺でレートマッチングされるべき１つまたは複数の第１のリソース要素（ＲＥ）を識別すること、ここにおいて、前記１つまたは複数の第１のＲＥは、前記サービングセルまたはネイバリングセルにおける基準信号（ＲＳ）送信のために使用される、と、
物理ダウンリンク共有チャネル（ＰＤＳＣＨ）を、前記第１のＲＥを含まない１つまたは複数の第２のＲＥにマッピングすることと
を行わせるために前記命令を実行するように構成される、装置。
【請求項１０】
前記サービングセルから受信された前記ＲＭＲ構成に関連する前記送信ヌメロロジーは、前記ネイバリングセルの送信ヌメロロジーと同一である、または
前記サービングセルから受信された前記ＲＭＲ構成に関連する前記送信ヌメロロジーは、前記ネイバリングセルの送信ヌメロロジーとは異なる、
請求項９に記載の装置。
【請求項１１】
前記サービングセルから受信された前記ＲＭＲ構成に関連する前記送信ヌメロロジーが異なる場合、
前記サービングセルから受信された前記ＲＭＲ構成に関連する前記送信ヌメロロジーに対応するサブキャリア間隔は、前記ネイバリングセルの前記送信ヌメロロジーに対応するサブキャリア間隔よりも大きい、または
前記サービングセルから受信された前記ＲＭＲ構成に関連する前記送信ヌメロロジーに対応するサブキャリア間隔は、前記ネイバリングセルの前記送信ヌメロロジーに対応するサブキャリア間隔よりも小さい、
請求項１０に記載の装置。
【請求項１２】
前記ＲＭＲは、ゼロ電力チャネル状態情報基準信号（ＺＰ  ＣＳＩ−ＲＳ）を含む、
請求項９に記載の装置。
【請求項１３】
装置であって、
実行可能な命令を備える非一時的メモリと、
前記メモリとデータ通信しているプロセッサと
を備え、前記プロセッサは、前記装置に、
サービングセルからレートマッチングリソース（ＲＭＲ）構成を受信することと、
前記ＲＭＲ構成における物理アップリンク制御チャネル（ＰＵＣＣＨ）とサウンディング基準信号（ＳＲＳ）とに関係するシグナリング構成に少なくとも部分的に基づいて、物理アップリンク共有チャネル（ＰＵＳＣＨ）のために周辺でレートマッチングされるべき１つまたは複数の第１のリソース要素（ＲＥ）を識別することと、
物理アップリンク共有チャネル（ＰＵＳＣＨ）を、前記第１のＲＥを含まない１つまたは複数の第２のＲＥにマッピングすることと
を行わせるために前記命令を実行するように構成される、装置。
【請求項１４】
前記１つまたは複数の第１のＲＥは、前記サービングセルまたはネイバリングセルにおけるアップリンクロングＰＵＣＣＨ送信のために指定される、および／または
前記１つまたは複数の第１のＲＥは、前記サービングセルまたはネイバリングセルにおけるアップリンクロングＰＵＣＣＨ送信のために使用される、
請求項１３に記載の装置。
【請求項１５】
前記１つまたは複数の第１のＲＥは、前記サービングセルまたはネイバリングセルにおけるアップリンクショート持続時間に対応する、および／または
前記１つまたは複数の第１のＲＥは、前記サービングセルまたはネイバリングセルにおけるアップリンクショート持続時間中のアップリンクショートＰＵＣＣＨおよびＳＲＳ送信のために予約される、および／または
前記１つまたは複数の第１のＲＥは、前記サービングセルまたはネイバリングセルにおけるアップリンクショート持続時間中のアップリンクショートＰＵＣＣＨおよびＳＲＳを含む信号またはチャネルの送信のために使用される、
請求項１３に記載の装置。
【請求項１６】
前記識別することは、前記ＲＭＲ構成におけるアップリンク多入力多出力（ＭＩＭＯ）プリコーダにさらに基づく、および／または
前記ＲＭＲは、ゼロ電力チャネル状態情報基準信号（ＺＰ  ＣＳＩ−ＲＳ）を含む、
請求項１３に記載の装置。
【手続補正２】
【補正対象書類名】明細書
【補正対象項目名】０１０５
【補正方法】変更
【補正の内容】
【０１０５】
[0126]特許請求の範囲は、上記で示された厳密な構成および構成要素に限定されないことを理解されたい。上記で説明された方法および装置の構成、動作ならびに詳細において、特許請求の範囲の範囲から逸脱することなく、様々な改変、変更および変形が行われ得る。
以下に、本願出願の当初の特許請求の範囲に記載された発明を付記する。
［Ｃ１］
ユーザ機器（ＵＥ）によるワイヤレス通信の方法であって、
サービングセルからレートマッチングリソース（ＲＭＲ）構成を受信することと、
前記ＲＭＲ構成に関連する送信ヌメロロジーに少なくとも部分的に基づいて、周辺でレートマッチングされるべき１つまたは複数の第１のリソース要素（ＲＥ）を識別すること、ここにおいて、前記１つまたは複数の第１のＲＥは、前記サービングセルまたはネイバリングセルにおける基準信号（ＲＳ）送信のために使用される、と、
物理ダウンリンク共有チャネル（ＰＤＳＣＨ）を、前記第１のＲＥを含まない１つまたは複数の第２のＲＥにマッピングすることと
を備える、方法。
［Ｃ２］
前記サービングセルから受信された前記ＲＭＲ構成に関連する前記送信ヌメロロジーは、前記ネイバリングセルの送信ヌメロロジーと同一である、
［Ｃ１］に記載の方法。
［Ｃ３］
前記サービングセルから受信された前記ＲＭＲ構成に関連する前記送信ヌメロロジーは、前記ネイバリングセルの送信ヌメロロジーとは異なる、
［Ｃ１］に記載の方法。
［Ｃ４］
前記サービングセルから受信された前記ＲＭＲ構成に関連する前記送信ヌメロロジーに対応するサブキャリア間隔は、前記ネイバリングセルの前記送信ヌメロロジーに対応するサブキャリア間隔よりも大きい、
［Ｃ３］に記載の方法。
［Ｃ５］
前記サービングセルから受信された前記ＲＭＲ構成に関連する前記送信ヌメロロジーに対応するサブキャリア間隔は、前記ネイバリングセルの前記送信ヌメロロジーに対応するサブキャリア間隔よりも小さい、
［Ｃ３］に記載の方法。
［Ｃ６］
前記ＲＭＲは、ゼロ電力チャネル状態情報基準信号（ＺＰ  ＣＳＩ−ＲＳ）を含む、
［Ｃ１］に記載の方法。
［Ｃ７］
ユーザ機器（ＵＥ）によるワイヤレス通信の方法であって、
サービングセルからレートマッチングリソース（ＲＭＲ）構成を受信することと、
前記ＲＭＲ構成における物理アップリンク制御チャネル（ＰＵＣＣＨ）とサウンディング基準信号（ＳＲＳ）とに関係するシグナリング構成に少なくとも部分的に基づいて、物理アップリンク共有チャネル（ＰＵＳＣＨ）のために周辺でレートマッチングされるべき１つまたは複数の第１のリソース要素（ＲＥ）を識別することと、
物理アップリンク共有チャネル（ＰＵＳＣＨ）を、前記第１のＲＥを含まない１つまたは複数の第２のＲＥにマッピングすることと
を備える、方法。
［Ｃ８］
前記１つまたは複数の第１のＲＥは、前記サービングセルまたはネイバリングセルにおけるアップリンクロングＰＵＣＣＨ送信のために指定される、
［Ｃ７］に記載の方法。
［Ｃ９］
前記１つまたは複数の第１のＲＥは、前記サービングセルまたはネイバリングセルにおけるアップリンクロングＰＵＣＣＨ送信のために使用される、
［Ｃ７］に記載の方法。
［Ｃ１０］
前記１つまたは複数の第１のＲＥは、前記サービングセルまたはネイバリングセルにおけるアップリンクショート持続時間に対応する、
［Ｃ７］に記載の方法。
［Ｃ１１］
前記１つまたは複数の第１のＲＥは、前記サービングセルまたはネイバリングセルにおけるアップリンクショート持続時間中のアップリンクショートＰＵＣＣＨおよびＳＲＳ送信のために予約される、
［Ｃ７］に記載の方法。
［Ｃ１２］
前記１つまたは複数の第１のＲＥは、前記サービングセルまたはネイバリングセルにおけるアップリンクショート持続時間中のアップリンクショートＰＵＣＣＨおよびＳＲＳを含む信号またはチャネルの送信のために使用される、
［Ｃ７］に記載の方法。
［Ｃ１３］
前記識別することは、前記ＲＭＲ構成におけるアップリンク多入力多出力（ＭＩＭＯ）プリコーダにさらに基づく、
［Ｃ７］に記載の方法。
［Ｃ１４］
前記ＲＭＲは、ゼロ電力チャネル状態情報基準信号（ＺＰ  ＣＳＩ−ＲＳ）を含む、
［Ｃ７］に記載の方法。
［Ｃ１５］
装置であって、
実行可能な命令を備える非一時的メモリと、
前記メモリとデータ通信しているプロセッサと
を備え、前記プロセッサは、前記装置に、
サービングセルからレートマッチングリソース（ＲＭＲ）構成を受信することと、
前記ＲＭＲ構成に関連する送信ヌメロロジーに少なくとも部分的に基づいて、周辺でレートマッチングされるべき１つまたは複数の第１のリソース要素（ＲＥ）を識別すること、ここにおいて、前記１つまたは複数の第１のＲＥは、前記サービングセルまたはネイバリングセルにおける基準信号（ＲＳ）送信のために使用される、と、
物理ダウンリンク共有チャネル（ＰＤＳＣＨ）を、前記第１のＲＥを含まない１つまたは複数の第２のＲＥにマッピングすることと
を行わせるために前記命令を実行するように構成される、装置。
［Ｃ１６］
前記サービングセルから受信された前記ＲＭＲ構成に関連する前記送信ヌメロロジーは、前記ネイバリングセルの送信ヌメロロジーと同一である、
［Ｃ１５］に記載の装置。
［Ｃ１７］
前記サービングセルから受信された前記ＲＭＲ構成に関連する前記送信ヌメロロジーは、前記ネイバリングセルの送信ヌメロロジーとは異なる、
［Ｃ１５］に記載の装置。
［Ｃ１８］
前記サービングセルから受信された前記ＲＭＲ構成に関連する前記送信ヌメロロジーに対応するサブキャリア間隔は、前記ネイバリングセルの前記送信ヌメロロジーに対応するサブキャリア間隔よりも大きい、
［Ｃ１７］に記載の装置。
［Ｃ１９］
前記サービングセルから受信された前記ＲＭＲ構成に関連する前記送信ヌメロロジーに対応するサブキャリア間隔は、前記ネイバリングセルの前記送信ヌメロロジーに対応するサブキャリア間隔よりも小さい、
［Ｃ１７］に記載の装置。
［Ｃ２０］
前記ＲＭＲは、ゼロ電力チャネル状態情報基準信号（ＺＰ  ＣＳＩ−ＲＳ）を含む、
［Ｃ１５］に記載の装置。
［Ｃ２１］
装置であって、
実行可能な命令を備える非一時的メモリと、
前記メモリとデータ通信しているプロセッサと
を備え、前記プロセッサは、前記装置に、
サービングセルからレートマッチングリソース（ＲＭＲ）構成を受信することと、
前記ＲＭＲ構成における物理アップリンク制御チャネル（ＰＵＣＣＨ）とサウンディング基準信号（ＳＲＳ）とに関係するシグナリング構成に少なくとも部分的に基づいて、物理アップリンク共有チャネル（ＰＵＳＣＨ）のために周辺でレートマッチングされるべき１つまたは複数の第１のリソース要素（ＲＥ）を識別することと、
物理アップリンク共有チャネル（ＰＵＳＣＨ）を、前記第１のＲＥを含まない１つまたは複数の第２のＲＥにマッピングすることと
を行わせるために前記命令を実行するように構成される、装置。
［Ｃ２２］
前記１つまたは複数の第１のＲＥは、前記サービングセルまたはネイバリングセルにおけるアップリンクロングＰＵＣＣＨ送信のために指定される、
［Ｃ２１］に記載の装置。
［Ｃ２３］
前記１つまたは複数の第１のＲＥは、前記サービングセルまたはネイバリングセルにおけるアップリンクロングＰＵＣＣＨ送信のために使用される、
［Ｃ２１］に記載の装置。
［Ｃ２４］
前記１つまたは複数の第１のＲＥは、前記サービングセルまたはネイバリングセルにおけるアップリンクショート持続時間に対応する、
［Ｃ２１］に記載の装置。
［Ｃ２５］
前記１つまたは複数の第１のＲＥは、前記サービングセルまたはネイバリングセルにおけるアップリンクショート持続時間中のアップリンクショートＰＵＣＣＨおよびＳＲＳ送信のために予約される、
［Ｃ２１］に記載の装置。
［Ｃ２６］
前記１つまたは複数の第１のＲＥは、前記サービングセルまたはネイバリングセルにおけるアップリンクショート持続時間中のアップリンクショートＰＵＣＣＨおよびＳＲＳを含む信号またはチャネルの送信のために使用される、
［Ｃ２１］に記載の装置。
［Ｃ２７］
前記識別することは、前記ＲＭＲ構成におけるアップリンク多入力多出力（ＭＩＭＯ）プリコーダにさらに基づく、
［Ｃ２１］に記載の装置。
［Ｃ２８］
前記ＲＭＲは、ゼロ電力チャネル状態情報基準信号（ＺＰ  ＣＳＩ−ＲＳ）を含む、
［Ｃ２１］に記載の装置。
［Ｃ２９］
ワイヤレス通信のための装置であって、
サービングセルからレートマッチングリソース（ＲＭＲ）構成を受信するための手段と、
前記ＲＭＲ構成に関連する送信ヌメロロジーに少なくとも部分的に基づいて、周辺でレートマッチングされるべき１つまたは複数の第１のリソース要素（ＲＥ）を識別するための手段、ここにおいて、前記１つまたは複数の第１のＲＥは、前記サービングセルまたはネイバリングセルにおける基準信号（ＲＳ）送信のために使用される、と、
物理ダウンリンク共有チャネル（ＰＤＳＣＨ）を、前記第１のＲＥを含まない１つまたは複数の第２のＲＥにマッピングするための手段と
を備える、装置。
［Ｃ３０］
ワイヤレス通信のための装置であって、
サービングセルからレートマッチングリソース（ＲＭＲ）構成を受信するための手段と、
前記ＲＭＲ構成における物理アップリンク制御チャネル（ＰＵＣＣＨ）とサウンディング基準信号（ＳＲＳ）とに関係するシグナリング構成に少なくとも部分的に基づいて、物理アップリンク共有チャネル（ＰＵＳＣＨ）のために周辺でレートマッチングされるべき１つまたは複数の第１のリソース要素（ＲＥ）を識別するための手段と、
物理アップリンク共有チャネル（ＰＵＳＣＨ）を、前記第１のＲＥを含まない１つまたは複数の第２のＲＥにマッピングするための手段と
を備える、装置。
［Ｃ３１］
ユーザ機器（ＵＥ）によって実行されたとき、前記ＵＥに、
サービングセルからレートマッチングリソース（ＲＭＲ）構成を受信することと、
前記ＲＭＲ構成に関連する送信ヌメロロジーに少なくとも部分的に基づいて、周辺でレートマッチングされるべき１つまたは複数の第１のリソース要素（ＲＥ）を識別すること、ここにおいて、前記１つまたは複数の第１のＲＥは、前記サービングセルまたはネイバリングセルにおける基準信号（ＲＳ）送信のために使用される、と、
物理ダウンリンク共有チャネル（ＰＤＳＣＨ）を、前記第１のＲＥを含まない１つまたは複数の第２のＲＥにマッピングすることと
を備える方法を実施させる命令を記憶した非一時的コンピュータ可読媒体。
［Ｃ３２］
ユーザ機器（ＵＥ）によって実行されたとき、前記ＵＥに、
サービングセルからレートマッチングリソース（ＲＭＲ）構成を受信することと、
前記ＲＭＲ構成における物理アップリンク制御チャネル（ＰＵＣＣＨ）とサウンディング基準信号（ＳＲＳ）とに関係するシグナリング構成に少なくとも部分的に基づいて、物理アップリンク共有チャネル（ＰＵＳＣＨ）のために周辺でレートマッチングされるべき１つまたは複数の第１のリソース要素（ＲＥ）を識別することと、
物理アップリンク共有チャネル（ＰＵＳＣＨ）を、前記第１のＲＥを含まない１つまたは複数の第２のＲＥにマッピングすることと
を備える、方法を実施させる命令を記憶した非一時的コンピュータ可読媒体。